(57)【特許請求の範囲】
【請求項１】
撮像手段で撮像されたライブビュー画像を、通常倍率表示と、当該通常倍率表示よりも拡大した拡大表示を含む複数の表示状態のいずれかで表示手段に表示するように制御する表示制御手段と、
前記ライブビュー画像を前記拡大表示している際に第１の操作があった場合には、前記通常倍率表示に切り替えるとともに第１のＡＦ方式でＡＦ処理を実行し、
前記ライブビュー画像を前記拡大表示している際に第２の操作があった場合には、前記拡大表示を維持して第２のＡＦ方式でＡＦ処理を実行するように制御する制御手段と、を有することを特徴とする撮像制御装置。
【請求項２】
前記第１のＡＦ方式と前記第２のＡＦ方式を含む複数のＡＦ方式のうち、ユーザに選択されたＡＦ方式に設定する設定手段を更に有し、
前記制御手段は、前記設定手段で前記第１のＡＦ方式に設定されており、かつ、前記ライブビュー画像を前記拡大表示している際に前記第１の操作があった場合には、前記通常倍率表示に切り替えるとともに前記第１のＡＦ方式でＡＦ処理を実行し、
前記設定手段で前記第１のＡＦ方式に設定されており、かつ、前記ライブビュー画像を前記拡大表示している際に前記第２の操作があった場合には、前記拡大表示を維持して前記第２のＡＦ方式でＡＦ処理を実行するように制御することを特徴とする請求項１に記載の撮像制御装置。
【請求項３】
前記制御手段は、前記設定手段で前記第１のＡＦ方式に設定されており、かつ、前記ライブビュー画像を前記拡大表示している際に前記第２の操作があった場合に、前記設定手段の設定を前記第２のＡＦ方式に変更し、前記拡大表示を維持して前記第２のＡＦ方式でＡＦ処理を実行した後、前記設定手段の設定を前記第１のＡＦ方式に戻すように制御することを特徴とする請求項２に記載の撮像制御装置。
【請求項４】
前記制御手段は、前記ライブビュー画像を前記通常倍率表示している際に前記第１の操作があった場合と、前記第２の操作があった場合との、いずれの場合にも前記第１のＡＦ方式でＡＦ処理を実行するように制御することを特徴とする請求項１乃至３のいずれか１項に記載の撮像制御装置。
【請求項５】
前記第１の操作は第１の操作部材に対する操作であり、前記第２の操作は、前記第１の操作部材とは異なる第２の操作部材に対する操作であることを特徴とする請求項１乃至４のいずれか１項に記載の撮像制御装置。
【請求項６】
前記第１の操作部材はシャッターボタンであることを特徴とする請求項５に記載の撮像制御装置。
【請求項７】
前記第２の操作部材はタッチパネルであることを特徴とする請求項５または６に記載の撮像制御装置。
【請求項８】
前記第２の操作は、前記タッチパネルに表示されたライブビュー画像上へのタッチ操作であり、前記制御手段は、前記第２の操作に応じて、タッチされた位置に応じた被写体をＡＦの対象としてＡＦ処理を行うように制御することを特徴とする請求項７に記載の撮像制御装置。
【請求項９】
前記第２のＡＦ方式は、１点ＡＦであることを特徴とする請求項１乃至８のいずれか１項に記載の撮像制御装置。
【請求項１０】
前記第１のＡＦ方式は、多点ＡＦ又は顔ＡＦの少なくとも一方であることを特徴とする請求項１乃至９のいずれか１項に記載の撮像制御装置。
【請求項１１】
前記制御手段は、前記第１の操作に応じては、撮像を行って画像ファイルを記録媒体に記録するまでの一連の処理である撮影処理は行わず、前記第２の操作に応じてはＡＦ処理を行うとともに前記撮影処理を行うように制御することを特徴とする請求項１乃至１０のいずれか１項に記載の撮像制御装置。
【請求項１２】
前記第１の操作は、シャッターボタンの半押しであり、前記制御手段は、前記シャッターボタンへの全押しに応じて前記撮影処理を行うように制御することを特徴とする請求項１１に記載の撮像制御装置。
【請求項１３】
前記撮像手段を更に有することを特徴とする請求項１乃至１２のいずれか１項に記載の撮像制御装置。
【請求項１４】
撮像手段で撮像されたライブビュー画像を、通常倍率表示と、当該通常倍率表示よりも拡大した拡大表示を含む複数の表示状態のいずれかで表示手段に表示するように制御するステップと、
前記ライブビュー画像を前記拡大表示している際に第１の操作があった場合には、前記通常倍率表示に切り替えるとともに第１のＡＦ方式でＡＦ処理を実行し、
前記ライブビュー画像を前記拡大表示している際に第２の操作があった場合には、前記拡大表示を維持して第２のＡＦ方式でＡＦ処理を実行するように制御するステップと、を有することを特徴とする撮像制御装置の制御方法。
【請求項１５】
コンピュータを、請求項１乃至１３のいずれか１項に記載された撮像制御装置の各手段として機能させるためのプログラム。
【請求項１６】
コンピュータを、請求項１乃至１３のいずれか１項に記載された撮像制御装置の各手段として機能させるためのプログラムを格納したコンピュータが読み取り可能な記憶媒体。
【発明の詳細な説明】
【技術分野】
【０００１】
本発明は、拡大表示時のＡＦ（オートフォーカス）処理及び撮影動作に関する。
【背景技術】
【０００２】
近年、ライブビュー撮影時に、ライブビュー画像を拡大して表示することが可能な撮像装置が知られている。特許文献１には、ＡＦ方式やＡＦ枠に応じて、拡大表示のままＡＦ処理を行うか、拡大表示から等倍表示に切り替えてからＡＦ処理を行うかを自動的に決定する技術が記載されている。具体的には、選択しているＡＦ枠が常に拡大表示内にあるライブ１点ＡＦモードでは拡大表示のままＡＦ処理を行う。一方、ＡＦ枠が常に拡大表示内にあるとは限らないＡＦモード（ライブ多点ＡＦモード、クイックＡＦモード）では、拡大表示のままでＡＦ動作を行うと、ユーザはＡＦ動作の結果、焦点が合っているか否かを確認できない、あるいは、ユーザはＡＦ枠付近の主要被写体の様子を視認できずにシャッターチャンスを確認できない。そのため、ＡＦ枠が常に拡大表示内にあるとは限らないＡＦモードでは、拡大表示から等倍表示に切り替えてからＡＦ処理を行う。
【先行技術文献】
【特許文献】
【０００３】
【特許文献１】特開２０１３−２０１５２７号公報
【発明の概要】
【発明が解決しようとする課題】
【０００４】
上述したライブビューにおける拡大表示時のＡＦ処理及び撮影動作において、拡大表示のままＡＦ処理及び撮影を行いたい場合、ユーザは拡大表示のままでＡＦ処理が可能なＡＦ方式に変更したり、撮影後にＡＦ方式を元に戻すための操作を行う必要がある。
【０００５】
本発明は、上記課題に鑑みてなされ、その目的は、拡大表示時に適したＡＦ方式への変更をするために煩わしい操作を行うことなく、拡大表示のままＡＦ処理が行える技術を実現することである。
【課題を解決するための手段】
【０００６】
上記課題を解決し、目的を達成するために、本発明の撮像制御装置は、撮像手段で撮像されたライブビュー画像を、通常倍率表示と、当該通常倍率表示よりも拡大した拡大表示を含む複数の表示状態のいずれかで表示手段に表示するように制御する表示制御手段と、前記ライブビュー画像を前記拡大表示している際に第１の操作があった場合には、前記通常倍率表示に切り替えるとともに第１のＡＦ方式でＡＦ処理を実行し、前記ライブビュー画像を前記拡大表示している際に第２の操作があった場合には、前記拡大表示を維持して第２のＡＦ方式でＡＦ処理を実行するように制御する制御手段と、を有する。
【発明の効果】
【０００７】
本発明によれば、拡大表示時に適したＡＦ方式への変更をするために煩わしい操作を行うことなく、拡大表示のままＡＦ処理が行える。
【図面の簡単な説明】
【０００８】
【図１】本発明に係る実施形態のデジタルカメラの外観図。
【図２】本実施形態のデジタルカメラの内部構成を示すブロック図。
【図３】多点ＡＦでの拡大表示時における従来のＡＦ処理及び画面遷移を説明する図。
【図４】顔ＡＦでの拡大表示時における従来のＡＦ処理及び画面遷移を説明する図。
【図５】実施形態１のライブビューにおける拡大表示時の撮影動作を示すフローチャート。
【図６】実施形態２のライブビューにおける拡大表示時の撮影動作を示すフローチャート。
【発明を実施するための形態】
【０００９】
以下に、本発明の撮像装置を、静止画や動画を撮影可能なデジタル一眼レフカメラに適用した実施の形態について、添付図面を参照して詳細に説明する。
【００１０】
［実施形態１］
本実施形態は、ライブビュー中の拡大表示時に適したＡＦ方式に自動で切り替えてＡＦ処理及び撮影動作を行うものであり、撮影後は元のＡＦ方式に自動で戻される構成である。
【００１１】
＜装置構成＞図１及び図２を参照して、本実施形態のデジタルカメラの構成及び機能について説明する。
【００１２】
まず、図１を参照して、本実施形態のデジタルカメラ（以下、カメラ）１００の外観構成について説明する。
【００１３】
図１（ａ）はカメラ１００の前面斜視図であり、図１（ｂ）はカメラ１００の背面斜視図である。
【００１４】
図１において、表示部１０１は、画像や各種情報を表示するＬＣＤなどの表示デバイスである。また、表示部１０１は、静止画撮影後の静止画再生や記録中の動画表示、及びライブビュー表示（スルー表示）機能を併せ持っている。ファインダー外表示部２４３は、カメラ本体の上面に設けられたＬＣＤなどの表示デバイスであり、シャッター速度や絞りなどのカメラの様々な設定値を表示する。
【００１５】
シャッターボタン１０２は撮影指示を行うための操作部である。モード切替スイッチ１０３は各種モードを切り替えるためのダイヤル式の操作部である。端子カバー１０４は外部機器とカメラ１００をＵＳＢなどのケーブルを介して接続するためのコネクタ（不図示）を保護するカバー部材である。メイン電子ダイヤル１０５は図２で後述する操作部２７０に含まれる回転操作部材であり、このメイン電子ダイヤル１０５を回すことで、シャッター速度や絞りなどの設定値が変更できる。
【００１６】
電源スイッチ１０６はカメラ１００の電源のオン／オフを切り替える操作部材である。サブ電子ダイヤル１０７も図２で後述する操作部２７０に含まれる回転操作部材であり、選択枠の移動や画像送りなどを行える。十字キー１０８も図２で後述する操作部２７０に含まれる移動指示部材であり、上、下、左、右のいずれかを押し込むことで、十字キー１０８の押した部分に応じた操作が可能である。
【００１７】
ＳＥＴボタン１０９も図２で後述する操作部２７０に含まれる押しボタンであり、主に選択項目の決定などに用いられる。ライブビューボタン１１０も図２で後述する操作部２７０に含まれる押しボタンであり、静止画撮影モードではライブビュー表示のオン／オフを切り替え、動画記録モードでは動画撮影（記録）の開始や停止の指示に使用される。拡大ボタン１１１も図２で後述する操作部２７０に含まれる押しボタンであり、ライブビュー中における拡大表示のオン／オフ、及び拡大表示中の拡大率の変更を行うための操作部材である。また、拡大ボタン１１１は、再生モードでは再生画像を拡大し、拡大率を増加させるための操作部材である。縮小ボタン１１４も後述する操作部２７０に含まれる押しボタンであり、拡大された再生画像の拡大率を減少させ、画面を縮小表示するための操作部材である。
【００１８】
再生ボタン１１２も図２で後述する操作部２７０に含まれる押しボタンであり、撮影モードと再生モードとを切り替える操作部材である。撮影モード中に再生ボタン１１２を押下することで再生モードに移行し、図２で後述する記録媒体２５０に記録された画像のうち最新の画像を表示部１０１に表示することができる。
【００１９】
クイックリターンミラー２１２は、図２で後述するシステム制御部２０１の指示に応じて、不図示のアクチュエータによってアップ位置（露光位置）又はダウン位置（ライブビュー位置）に駆動される。通信端子２１０はカメラ１００がレンズユニット２００（図２）と通信を行うための電気的接点である。覗き込み型の接眼ファインダー２１６はフォーカシングスクリーン２１３（図２）を観察することで、レンズユニット２００を通じて取り込んだ被写体の光学像の焦点や構図の確認を行うための光学部材である。蓋１１３はカメラ１００に対して記録媒体２５０を着脱するためにスロットを開閉する部材である。グリップ部１１５は、ユーザがカメラ１００を構えた際に右手で握りやすい形状を有する。
【００２０】
次に、図２を参照して、本実施形態のカメラ１００及びレンズユニット２００の内部構成について説明する。
【００２１】
図２において、レンズユニット２００は撮影レンズ２０７を搭載し、カメラ１００に対して着脱可能である。撮影レンズ２０７は通常、複数枚のレンズから構成されるが、ここでは簡略して１枚のレンズのみで示している。通信端子２０６はレンズユニット２００がカメラ１００と通信を行うための電気的接点である。通信端子２１０はカメラ１００がレンズユニット２００と通信を行うための電気的接点である。レンズユニット２００は、通信端子２０６を介してシステム制御部２０１と通信し、内蔵されたレンズ制御部２０４が絞り駆動回路２０２を制御して絞り２０５を駆動し、ＡＦ駆動回路２０３を制御して撮影レンズ２０７の位置を変位させることで焦点を合わせる。
【００２２】
ＡＥセンサ２１７は、レンズユニット２００を通じて取り込んだ被写体の輝度を測光する。焦点検出部２１１は、システム制御部２０１にデフォーカス量を出力し、システム制御部２０１はデフォーカス量に応じてレンズユニット２００と通信し、位相差検出方式でのＡＦ制御を行う。
【００２３】
クイックリターンミラー（以下、ミラー）２１２は、露光、ライブビュー表示、動画撮影の際にシステム制御部２０１から指示を受けて、不図示のアクチュエータによってアップ位置又はダウン位置に駆動される。クイックリターンミラー２１２は、撮影レンズ２０７から入射した光束を接眼ファインダー２１６又は撮像部２２２へ切り替える。クイックリターンミラー２１２は通常、光束を反射して接眼ファインダー２１６へ光束を導くようダウン位置に付勢されているが、露光やライブビュー表示には、撮像部２２２へ光束を導くように上方に跳ね上がり光束中から待避する（アップ位置）。また、クイックリターンミラー２１２は、光束の一部が透過して焦点検出部２１１に入射するように、中央部がハーフミラーとなっている。撮影者は、ペンタプリズム２１４と接眼ファインダー２１６を介して、フォーカシングスクリーン２１３を観察することで、レンズユニット２００を通じて取り込んだ被写体の光学像の焦点や構図の確認が可能となる。
【００２４】
フォーカルプレーンシャッター２２１は、システム制御部２０１の指示に応じて撮像部２２２での露光時間を自由に制御できる。撮像部２２２は被写体の光学像を電気信号に変換するＣＣＤやＣＭＯＳ等の撮像素子で構成されたイメージセンサである。Ａ／Ｄ変換器２２３は、撮像部２２２から出力されるアナログ信号をデジタル信号に変換して画像データを生成する。
【００２５】
画像処理部２２４は、Ａ／Ｄ変換器２２３からのデータ、又は、メモリ制御部２１５からのデータに対して所定の画素補間、縮小といったリサイズ処理や色変換処理を行う。また、画像処理部２２４では、撮像した画像データを用いて所定の演算処理が行われ、システム制御部２０１は演算結果に基づいて露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２２４では更に、撮像した画像データを用いて所定の演算処理を行い、演算結果に基づいてＴＴＬ方式のＡＷＢ（オートホワイトバランス）処理も行っている。
【００２６】
Ａ／Ｄ変換器２２３から出力されるデジタルデータは、画像処理部２２４及びメモリ制御部２１５を介して、あるいは、メモリ制御部２１５を介してメモリ２３２に直接書き込まれる。メモリ２３２は、撮像部２２２及びＡ／Ｄ変換器２２３から得られる画像データや、表示部１０１に表示するための画像表示用のデータを格納する。メモリ２３２は、所定枚数の静止画や所定時間の動画及び音声を格納するのに十分な記憶容量を備えている。また、メモリ２３２は画像表示用のメモリ（ビデオメモリ）を兼ねている。
【００２７】
Ｄ／Ａ変換器２１９は、メモリ２３２に格納されている画像表示用のデータをアナログ信号に変換して表示部１０１に供給する。メモリ２３２に書き込まれた表示用の画像データはＤ／Ａ変換器２１９を介して表示部１０１により表示される。表示部１０１は、Ｄ／Ａ変換器２１９からのアナログ信号に応じた表示を行う。このように、メモリ２３２に格納されたデジタル信号をアナログ信号に変換し、表示部１０１に逐次転送して表示することで、電子ビューファインダー（ＥＶＦ）機能を実現し、ライブビュー表示を行える。
【００２８】
ファインダー内表示部２４１には、ファインダー内表示部駆動回路２４２を介して、現在ＡＦ処理が行われている測距点を示すＡＦ枠や、カメラの設定状態を表すアイコンなどが表示される。
【００２９】
ファインダー外表示部２４３には、ファインダー外表示部駆動回路２４４を介して、シャッター速度や絞りなどのカメラの様々な設定値が表示される。
【００３０】
不揮発性メモリ２５６は、電気的に消去・記録可能な、例えばＥＥＰＲＯＭなどである。不揮発性メモリ２５６には、システム制御部２０１の動作用の定数、プログラム等が記憶される。ここでいう、プログラムとは、後述する各種フローチャートを実行するためのプログラムのことである。
【００３１】
システム制御部２０１は、カメラ１００全体を統括して制御するＣＰＵやＭＰＵを備え、不揮発性メモリ２５６に格納されたプログラムを実行することで、後述するフローチャートの各処理を実現する。システムメモリ２５２はＲＡＭなどであり、システム制御部２０１の動作用の定数、変数、不揮発性メモリ２５６から読み出したプログラムなどを展開するワークメモリとしても使用される。また、システム制御部２０１は、メモリ２３２、Ｄ／Ａ変換器２１９、表示部１０１などを制御することにより表示制御も行う。システムタイマー２５３は各種制御に用いる時間や、内蔵時計の時間を計測する計時部である。
【００３２】
モード切替スイッチ１０３、第１シャッタースイッチ２６１、第２シャッタースイッチ２６２、操作部２７０はシステム制御部２０１に各種の指示を入力するための操作手段である。モード切替スイッチ１０３は、システム制御部２０１の動作モードを、静止画撮影モード、動画記録モード、再生モードのいずれかに切り替える。静止画撮影モードに含まれるモードとしては、オート撮影モード、オートシーン判別モード、マニュアルモード、絞り優先モード（Ａｖモード）、シャッター速度優先モード（Ｔｖモード）、撮影シーン別の撮影設定となる各種シーンモード、プログラムＡＥモード、カスタムモードなどがある。
【００３３】
モード切替スイッチ１０３で静止画撮影モードに含まれる複数のモードのいずれかに直接切り替える。あるいは、モード切替スイッチ１０３で静止画撮影モードに一旦切り替えた後に、静止画撮影モードに含まれる複数のモードのいずれかに他の操作部材を用いて切り替えるようにしてもよい。同様に、動画記録モードにも複数のモードが含まれていてもよい。
【００３４】
第１シャッタースイッチ２６１は、カメラ１００に設けられたシャッターボタン１０２の操作途中、いわゆる半押し（撮影準備指示）でオンとなり、第１シャッタースイッチ信号ＳＷ１を発生する。システム制御部２０１は、第１シャッタースイッチ信号ＳＷ１を受けて画像処理部２２４によって、ＡＦ処理、ＡＥ処理、ＡＷＢ処理、ＥＦ処理などを開始する。
【００３５】
第２シャッタースイッチ２６２は、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２２２からの信号読み出しから記録媒体２５０に画像データを書き込むまでの一連の撮影処理を開始する。
【００３６】
操作部２７０は、表示部１０１に表示される種々の機能アイコンを選択操作することにより、場面ごとに適宜機能が割り当てられ、各種機能ボタン（ソフトボタン）として作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が表示部１０１に表示される。ユーザは、表示部１０１に表示されたメニュー画面と、十字キー１０８やＳＥＴボタン１０９を用いて直感的に各種設定を行うことができる。
【００３７】
操作部２７０は、ユーザからの操作を受け付けて、システム制御部２０１へ通知する入力部であり、少なくとも以下の操作部材が含まれる。シャッターボタン１０２、メイン電子ダイヤル１０５、電源スイッチ１０６、サブ電子ダイヤル１０７、十字キー１０８、ＳＥＴボタン１０９、ライブビューボタン１１０、拡大ボタン１１１、再生ボタン１１２、縮小ボタン１１４。
【００３８】
電源制御部２８０は、電池検出回路、ＤＣ−ＤＣコンバータ、通電するブロックを切り替えるスイッチ回路等により構成され、電池の装着の有無、電池の種類、電池残量の検出を行う。また、電源制御部２８０は、その検出結果及びシステム制御部２０１の指示に基づいてＤＣ−ＤＣコンバータを制御し、必要な電圧を必要な期間、記録媒体２５０を含む各部へ供給する。
【００３９】
電源部２３０は、アルカリ電池やリチウム電池等の一次電池やＮｉＣｄ電池やＮｉＭＨ電池、Ｌｉイオン電池等の二次電池、ＡＣアダプタ等からなる。記録媒体Ｉ／Ｆ２１８は、メモリカードやハードディスク等の記録媒体２５０とのインターフェースである。記録媒体２５０は、撮影された画像を記録するためのメモリカード等の記録媒体であり、半導体メモリや磁気ディスク等から構成される。
【００４０】
通信部２５４は、無線又は有線ケーブルによって接続し、映像信号や音声信号の送受信を行う。通信部２５４は無線ＬＡＮ（Ｌｏｃａｌ Ａｒｅａ Ｎｅｔｗｏｒｋ）やインターネットとも接続可能である。通信部２５４は撮像部２２２で撮像した画像（ライブビュー画像を含む）や、記録媒体２５０に記録された画像ファイルを送信可能であり、また、外部機器から画像ファイルやその他の各種情報を受信することができる。
【００４１】
姿勢検知部２５５は重力方向に対するカメラ１００の姿勢を検知する。姿勢検知部２５５で検知された姿勢に基づいて、撮像部２２２で撮影された画像が、カメラ１００を横に構えて撮影された画像であるか、縦に構えて撮影された画像なのかを判別可能である。システム制御部２０１は、姿勢検知部２５５で検知された姿勢に応じた向き情報を撮像部２２２で撮像された画像の画像ファイルに付加したり、画像を回転して記録することが可能である。姿勢検知部２５５としては、加速度センサやジャイロセンサなどを用いることができる。
【００４２】
なお、操作部２７０には、表示部１０１に対するタッチ操作を検出可能なタッチ検出手段としてのタッチパネルが含まれる。タッチパネルと表示部１０１とは一体的に構成することができる。例えば、タッチパネルの光の透過率が表示部１０１の表示を妨げないように、表示部１０１の表示面の上層に取り付ける。そして、タッチパネルにおける入力座標と、表示部１０１上の表示座標とを対応付ける。これにより、ユーザが表示部１０１に表示された画面を直接的に操作可能であるかのようなＧＵＩを構成することができる。システム制御部２０１はタッチパネルへの以下の操作を検出できる。タッチパネルを指やペンで触れたこと（以下、タッチダウン）。タッチパネルを指やペンで触れている状態であること（以下、タッチオン）。タッチパネルを指やペンで触れたまま移動していること（以下、タッチムーブ）。タッチパネルへ触れていた指やペンを離したこと（以下、タッチアップ）。タッチパネルに何も触れていない状態（以下、タッチオフ）。
【００４３】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４４】
これらの操作や、タッチパネル上に指やペンが触れている位置座標は内部バスを通じてシステム制御部２０１に通知され、システム制御部２０１は通知された情報に基づいてタッチパネル上にどのような操作が行われたかを判定する。タッチムーブについてはタッチパネル上で移動する指やペンの移動方向についても、位置座標の変化に基づいて、タッチパネル上の垂直成分・水平成分毎に判定できる。また、タッチパネル上をタッチダウンから一定のタッチムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。
【００４５】
タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００４６】
本実施形態のカメラ１００は、位相差ＡＦによるファインダー撮影と撮像面ＡＦによるライブビュー撮影が可能である。
【００４７】
撮像面ＡＦには、任意１点ＡＦ、多点ＡＦ、顔ＡＦなどのＡＦ方式がある。
【００４８】
中央任意１点ＡＦとは撮影画面内の中央任意の位置１点に対してＡＦ処理を行うことである。また、ＡＦ枠はライブビュー画像（スルー画像）の広範囲の領域から任意でＡＦ枠として規定された大きさの領域を１点指定することができる。操作部２７０を用いて任意のＡＦ枠を指定させることができ、また、表示部１０１をタッチダウンすることで任意のＡＦ枠を指定させることができる。ライブビューにおいて、拡大時の画面にＡＦ枠を一致させることが可能なので、拡大画面のままでＡＦ処理及び撮影動作が可能である。
【００４９】
多点ＡＦとは撮影画面内の領域から自動でピント合わせを行う領域をＡＦ枠として決定しＡＦ処理を行うことである。また、ライブビュー表示画面の広範囲の領域から自動でピント合わせを行う領域を決定するため、ＡＦ枠を指定することができない。ライブビュー中の拡大表示時にすべてのＡＦ枠が含まれず、一部の限られたＡＦ枠でのＡＦ処理となるため、拡大表示のままでＡＦ処理及び撮影動作を行うことはできない。
【００５０】
ユーザはこれらの複数のＡＦ方式のうち任意のＡＦ方式を、ＡＦ方式設定メニュー画面から設定することが可能である。ＡＦ方式設定メニュー画面で設定されたＡＦ方式は、設定値として不揮発性メモリ２５６に記録される。以降、ＡＦ方式を変更するとは、設定値として不揮発性メモリ２５６に記録されたＡＦ方式の設定値を変更することである。
【００５１】
顔ＡＦとは顔検出機能によって検出された撮影画面内の顔領域に対してＡＦ処理を行うことである。
【００５２】
ここで、本実施形態の顔検出機能について説明する。システム制御部２０１は顔検出対象の画像データを画像処理部２２４に送る。画像処理部２２４は、システム制御部２０１の指示に応じて、画像データに水平方向バンドパスフィルタを作用させる。また、画像処理部２２４は、処理された画像データに垂直方向バンドパスフィルタを作用させる。これら水平及び垂直方向のバンドパスフィルタにより、画像データよりエッジ成分が検出される。その後、システム制御部２０１は、検出されたエッジ成分に関してパターンマッチングを行い、目及び鼻、口、耳の候補群を抽出する。そして、システム制御部２０１は、抽出された目の候補群の中から、予め設定された条件（例えば２つの目の距離、傾き等）を満たすものを、目の対と判断し、目の対があるもののみ目の候補群として絞り込む。そして、システム制御部２０１は、絞り込まれた目の候補群とそれに対応する顔を形成する他のパーツ（鼻、口、耳）を対応付け、また、予め設定した非顔条件フィルタを通すことで、顔情報を抽出する。システム制御部２０１は、顔検出結果に応じて顔情報を出力し、処理を終了する。このとき、顔の数やＡＦ処理の優先度などの特徴情報をシステムメモリ２５２に記憶する。ＡＦ処理の優先度を利用することでＡＦ対象の顔を指定することができる。また、操作部２７０を用いて顔検出されている任意の顔に対してＡＦ枠を指定することができ、また、表示部１０１をタッチダウンすることで顔検出されている任意の顔に対してＡＦ枠を指定することができる。ライブビューにおいて、撮影対象の顔が大きい場合には拡大表示時に画面に顔が収まらないことがあり、ＡＦ処理が制限されるため、拡大表示のままでＡＦ処理及び撮影動作が行えないことがある。
【００５３】
以上のように、ライブビューあるいは再生表示される画像データを画像解析して、画像データの特徴量を抽出して被写体情報を抽出することが可能である。本実施形態では被写体情報として顔情報を例に挙げたが、被写体情報には他にも赤目判定や目の検出、目つむり検出、笑顔検出等の様々な情報がある。
【００５４】
なお、顔ＡＦと同時に顔ＡＥ、顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００５５】
本実施形態では、撮影画面内の画像データに対するＡＦ方式として任意１点ＡＦや多点ＡＦや顔ＡＦなどの撮像面ＡＦについて説明した。これらの撮像面ＡＦは、コントラストＡＦ方式と位相差ＡＦ方式のいずれにおいても実現可能である。
【００５６】
＜従来の拡大表示時におけるＡＦ処理＞次に、実施形態１によるＡＦ処理を説明する前に、従来の拡大表示時におけるＡＦ処理について、図３及び図４を用いて説明する。
【００５７】
まず、図３を参照して、多点ＡＦでの画面遷移について説明する。
【００５８】
図３（ａ）は等倍画面３００を例示している。ＡＦ枠３０２は、画面上に等間隔に配置される。アルファベット文字３０４、３０６はそれぞれ、被写体の１つとする。
【００５９】
このような等倍表示時に、拡大ボタン１１１が押されると、所定の第１の倍率（例えば、５倍）で拡大した第１の拡大画面が表示される。図３（ｂ）は、図３（ａ）の等倍画面３００を拡大した第１の拡大画面３２０を例示している。拡大枠３２２は、表示対象の被写体を示しており、十字キー１０８により他の被写体に変更することが可能である。
【００６０】
このような拡大表示時に、さらに拡大ボタン１１１が押されると、所定の第２の倍率（例えば、１０倍）で拡大した拡大画面が表示される。図３（ｃ）は、図３（ｂ）の拡大枠３２２をさらに拡大した第２の拡大画面３４０を例示している。
【００６１】
このような拡大表示時に、拡大ボタン１１１が押されると、等倍画面３００に戻る。
【００６２】
第２の拡大画面３４０において、ユーザが撮影準備指示を行った場合、第２の拡大画面３４０には、等倍画面３００に存在するすべてのＡＦ枠３０２が含まれておらず、一部の限られたＡＦ枠によるＡＦ処理となる。このため、拡大画面３４０から等倍画面３００に切り替えられてＡＦ処理を行ってから撮影動作が実行される。
【００６３】
次に、図４を参照して、顔ＡＦでの画面遷移について説明する。
【００６４】
図４（ａ）は等倍画面４００を例示している。ＡＦ枠４０２、４０４は、顔検出機能によって検出された撮影画面内の顔領域を囲むように表示される。ＡＦ枠には、顔領域の大きさや認識率などの情報に応じて優先度が設定され、図４ではＡＦ枠４０２が優先度の高い主顔に対応する黒色の枠で表示され、ＡＦ枠４０４が優先度の低い副顔に対応する灰色の枠で表示されている。被写体領域は主顔と認識された顔領域４０６である。
【００６５】
このような等倍表示時に、拡大ボタン１１１が押されると、所定の第１の倍率（例えば、５倍）で拡大した第１の拡大画面が表示される。図４（ｂ）は、図４（ａ）の等倍画面４００を拡大した第１の拡大画面４２０を例示している。拡大枠４２２は、表示対象の顔領域を示しており、十字キー１０８により他の顔領域に変更することが可能である。
【００６６】
このような拡大表示時に、さらに拡大ボタン１１１が押されると、所定の第２の倍率（例えば、１０倍）で拡大した第２の拡大画面が表示される。図４（ｃ）は、図４（ｂ）の拡大枠４２２をさらに拡大した第２の拡大画面４４０を例示している。
【００６７】
このような拡大表示時に、拡大ボタン１１１が押されると、等倍画面４００に戻る。
【００６８】
第２の拡大画面４４０において、ユーザが撮影準備指示を行った場合、第２の拡大画面４４０には、等倍画面４００に存在するすべての顔領域（ＡＦ枠）が含まれていないことが多く、一部の限られたＡＦ枠によるＡＦ処理となる。また、図４（ｃ）の第２の拡大画面４４０では、顔領域４０６が撮影画面に収まらないこともあるため、高精度にＡＦ処理を行うことが難しくなる。このため、第２の拡大画面４４０から等倍画面４００に切り替えてＡＦ処理を行ってから撮影動作が実行される。
【００６９】
このように従来の構成では、任意１点ＡＦ方式以外のＡＦ方式（多点ＡＦや顔ＡＦ）に設定され、ライブビュー画面を拡大表示している場合に、撮影を実行する前に拡大表示を解除して等倍表示に切り替えてＡＦ処理（ＡＦ実行指示）を行っている。そのため、拡大表示のままで撮影を行いたい場合には、ＡＦ方式を任意１点ＡＦ方式に一旦変更する必要があり、設定操作が煩雑となっていた。
【００７０】
＜拡大表示時のＡＦ処理＞次に、図５を参照して、実施形態１によるライブビューにおける拡大表示時のＡＦ処理について説明する。
【００７１】
本フローチャートの処理は、操作部２７０によりＡＦ方式が任意１点ＡＦ以外の多点ＡＦ又は顔ＡＦに設定され、ライブビューボタン１１０によりライブビュー表示をトリガとして開始される。また、本フローチャートの処理は、不揮発性メモリ２５６に記録されたプログラムをシステムメモリ２５２に展開してシステム制御部２０１が実行することにより実現される。後述する図６でも同様である。
【００７２】
Ｓ５０２では、システム制御部２０１は、表示部１０１にライブビュー画像が表示された状態（ライブビュー表示している状態）で、拡大ボタン１１１により拡大表示が指示されたか否かを判定する。判定の結果、拡大指示が行われた場合はＳ５０３に進み、そうでない場合はＳ５０５に進む。
【００７３】
Ｓ５０３では、システム制御部２０１は、所定の倍率（例えば、５倍や１０倍）で拡大した拡大画面を表示する。
【００７４】
Ｓ５０４では、システム制御部２０１は、ＡＦ方式を任意１点ＡＦに変更する。
【００７５】
Ｓ５０５では、システム制御部２０１は、シャッターボタン１０２の半押しにより第１シャッタースイッチ信号ＳＷ１がオンされたか否かを判定し、オンされた場合はＳ５０６に進み、そうでない場合はＳ５１０に進む。
【００７６】
Ｓ５０６では、システム制御部２０１は、ライブビュー時に設定されていたＡＦ方式又はＳ５０４で変更されたＡＦ方式でＡＦ処理を実行する。
【００７７】
Ｓ５０７では、システム制御部２０１は、シャッターボタン１０２の全押しにより第２シャッタースイッチ信号ＳＷ２がオンされたか否かを判定し、オンされた場合はＳ５０８に進み、そうでない場合はＳ５０９に進む。
【００７８】
Ｓ５０８では、システム制御部２０１は、撮影処理を実行する。
【００７９】
Ｓ５０９では、システム制御部２０１は、シャッターボタン１０２の半押しにより第１シャッタースイッチ信号ＳＷ１がオンされたままか否かを判定し、オンのままの場合はＳ５０６に戻り、オンされていない場合はＳ５１３に進む。
【００８０】
Ｓ５１０では、システム制御部２０１は、表示部１０１（タッチパネル）に対するタッチダウン操作が行われたか否かを判定し、行われた場合はＳ５１１に進み、行われない場合はＳ５１３に進む。
【００８１】
Ｓ５１１では、システム制御部２０１は、設定されているＡＦ方式（Ｓ５０４でＡＦ方式が変更されていなければ、ＡＦ方式設定画面で設定されたＡＦ方式。Ｓ５０４でＡＦ方式が変更されていれば、変更されたＡＦ方式）でＡＦ処理を実行する。
【００８２】
Ｓ５１２では、システム制御部２０１は、撮影処理を実行する。
【００８３】
Ｓ５１３では、システム制御部２０１は、ライブビューボタン１１０の押下によりライブビューの終了が指示されたか否かを判定し、終了指示が行われた場合はＳ５１４に進み、そうでない場合はＳ５０２に戻る。
【００８４】
Ｓ５１４では、システム制御部２０１は、Ｓ５０４で変更したＡＦ方式を、変更前のＡＦ方式に戻す。
【００８５】
Ｓ５１５では、システム制御部２０１は、ライブビューを終了する。
【００８６】
上述した処理によれば、ＡＦ方式が任意１点ＡＦ以外の多点ＡＦ方式や顔ＡＦ方式に設定され、ライブビューにおける拡大表示時に撮影を行いたい場合に、ＡＦ方式を任意１点ＡＦに変更するので、拡大表示を解除して等倍画面に切り替えることなく拡大表示のままでＡＦ処理及び撮影を行うことが可能になる。また、拡大表示時にはＡＦ方式を自動で任意１点ＡＦに設定することで、ユーザがＡＦ方式を設定変更したり、元のＡＦ方式に戻すなどの操作の煩わしさも解消することができる。
【００８７】
［実施形態２］次に、実施形態２について説明する。
【００８８】
上述した実施形態１は、ＡＦ方式が任意１点ＡＦ以外の多点ＡＦや顔ＡＦに設定され、ライブビューにおける拡大表示時にＡＦ方式を自動で任意１点ＡＦに変更する構成であった。これに対して、本実施形態は、表示部１０１へのタッチダウン操作による撮影動作と、シャッターボタン１０２の操作による撮影動作の２種類の撮影指示（ＡＦ実行指示）が可能な場合のＡＦ処理に関するものである。
【００８９】
拡大表示時のタッチダウン操作による撮影指示の場合は、拡大表示されている領域をタッチしているので、直感的に拡大表示された画面の被写体に対して撮影を行うことを意図していると考えられる。一方、拡大表示時のシャッターボタン操作による撮影指示の場合は、タッチダウン操作による撮影動作と比較すると、必ずしも拡大表示された画面の被写体に対して撮影を行うことを意図しているとは考えられない。よって、本来のライブビュー中の多点ＡＦを優先した方が良い場合があると考えられる。
【００９０】
そこで、実施形態２では、タッチダウン操作とシャッターボタン操作によるそれぞれの撮影指示に適したＡＦ方式で撮影を行うものである。
【００９１】
図６は、実施形態２によるライブビューにおける拡大表示時のＡＦ処理について説明する。
【００９２】
なお、図６の処理を実現するカメラ１００の構成は実施形態１の図１及び図２と同様である。また、図６において、図５と同じ処理ステップには同一の符号を付し、相違点を中心に説明する。
【００９３】
図６において、Ｓ６０３以降の処理がタッチダウン操作による撮影動作に対応し、Ｓ６０１以降の処理がシャッターボタン操作による撮影動作に対応する。
【００９４】
まず、タッチダウン操作による撮影動作について説明する。
【００９５】
Ｓ６０３では、システム制御部２０１は、拡大表示中であるか否かを判定し、拡大表示中の場合はＳ６０４に進み、そうでない場合はＳ５１１に進む。
【００９６】
Ｓ６０４では、システム制御部２０１は、ＡＦ方式を任意１点ＡＦに変更する。
【００９７】
Ｓ５１１では、システム制御部２０１は、設定されているＡＦ方式（Ｓ６０４でＡＦ方式が変更されていなければ、ＡＦ方式設定画面で設定されたＡＦ方式。Ｓ６０４でＡＦ方式が変更されていれば、変更されたＡＦ方式）でＡＦを行う。Ｓ５１２では、システム制御部２０１は、撮影処理を実行する。
【００９８】
その後、Ｓ６０５では、システム制御部２０１は、拡大表示中であるか否かを判定し、拡大表示中の場合はＳ６０６に進み、そうでない場合はＳ５１３に進む。
【００９９】
Ｓ６０６では、システム制御部２０１は、Ｓ６０４で変更したＡＦ方式を、変更前のＡＦ方式に戻し、その後、Ｓ５１３、Ｓ５１５の処理を行う。
【０１００】
次に、シャッターボタン操作による撮影動作について説明する。
【０１０１】
Ｓ６０１では、システム制御部２０１は、拡大表示中であるか否かを判定し、拡大表示中の場合はＳ６０２に進み、そうでない場合はＳ５０６に進む。
【０１０２】
Ｓ６０２では、システム制御部２０１は、拡大表示を等倍面表示に切り替えた後、Ｓ５０６以降のＡＦ処理及び撮影処理を実行する。
【０１０３】
上述した処理によれば、ＡＦ方式が任意１点ＡＦ以外の多点ＡＦ方式や顔ＡＦ方式に設定され、ライブビューにおける拡大表示時に撮影を行いたい場合に、ＡＦ方式を任意１点ＡＦに変更するので、拡大表示を解除して等倍画面に切り替えることなく拡大表示のままでＡＦ処理及び撮影を行うことが可能になる。また、拡大表示時にはＡＦ方式を自動で任意１点ＡＦに変更するので、ユーザがＡＦ方式を設定変更したり元のＡＦ方式に戻すなどの操作の煩わしさも解消することができる。
【０１０４】
なお、システム制御部２０１の制御は１つのハードウェアが行ってもよいし、複数のハードウェアが処理を分担することで、装置全体の制御を行っても良い。
【０１０５】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１０６】
また、上述した実施形態においては、本発明をデジタルカメラなどの撮像装置に適用した場合を例に説明したが、本発明はこの例に限定されず、複数のＡＦ方式を搭載し、ライブビュー中の画面を拡大表示することが可能な装置であれば適用可能である。すなわち、本発明は、カメラ付きのパーソナルコンピュータやその一種であるタブレット、携帯電話やその一種であるスマートフォン、ＰＤＡ、携帯型の画像ビューワ、音楽プレーヤ、ゲーム機、電子書籍リーダなどに適用可能である。
【０１０７】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１０８】
１００…デジタルカメラ、１０１…表示部、１１１…拡大ボタン、２００…レンズユニット、２０１…システム制御部、２１１…焦点検出部、２２２…撮像部、２５０…記録媒体
【図１】
0006512961.tif 000002
【図２】
0006512961.tif 000003
【図３】
0006512961.tif 000004
【図４】
0006512961.tif 000005
【図５】
0006512961.tif 000006
【図６】
0006512961.tif 000007